(57)【要約】【課題】フロントグリルに形成されるエンブレムが大型化することがなく、軽微な前部衝突が生じても長期間に亘って前方状況検出機器が初期状態通りに正常に機能するようにすること。【解決手段】フロントグリル１２の後方に位置するフロントバルクヘッド２０に取り付けられた後部ブラケット６０と、後部ブラケット６０から前方に延出し、前方状況検出機器３２を支持する前部ブラケット４０とを有し、前部ブラケット４０が、フロントグリル１２に結合され、かつ、所定値を超える荷重を受けた時には後方へ変位可能に後部ブラケット６０に結合されている構造にする。【選択図】図４
2018131152.tif 000002
【特許請求の範囲】
【請求項１】
車体前部に設けられたフロントグリルの背部に配置される車両の前方状況検出機器の取付構造であって、
前記フロントグリルの後方に位置する車体骨格部材に取り付けられた後部ブラケットと、
前記後部ブラケットから前方に延出し、前記前方状況検出機器を支持する前部ブラケットとを有し、
前記前部ブラケットが、前記フロントグリルに結合され、かつ、所定値を超える荷重を受けた時には後方へ変位可能に前記後部ブラケットに結合されている前方状況検出機器の取付構造。
【請求項２】
前記前部ブラケットと前記後部ブラケットとは、前記前部ブラケット及び前記後部ブラケットの何れか一方に設けられた突部及び他方に設けられて前記突部が係合する凹部を含み、前記突部及び前記凹部は、前記前部ブラケットを初期位置に復元可能に前記後部ブラケットに対して後方への変位を許容する形状をしている請求項１に記載の前方状況検出機器の取付構造。
【請求項３】
前記突部はピンであり、
前記凹部は前記初期位置において前記ピンを後方へ離脱可能に係止した係止部及び前記係止部の後部に連続し且つ後方に向かうに従って拡開した拡開部を含む請求項２に記載の前方状況検出機器の取付構造。
【請求項４】
前記突部はピンであり、
前記凹部は前後方向に延在し、前記ピンが前後方向に変位可能に係合した長孔を含む請求項２に記載の前方状況検出機器の取付構造。
【請求項５】
前記凹部が樹脂部材に画成されている請求項２〜請求項４の何れか一項に記載の前方状況検出機器の取付構造。
【請求項６】
前記突部及び前記凹部は、前記前部ブラケット及び前記後部ブラケットの少なくとも上下２箇所に各々設けられている請求項２〜請求項５の何れか一項に記載の前方状況検出機器の取付構造。
【請求項７】
前記突部及び前記凹部は、前記前部ブラケット及び前記後部ブラケットの少なくとも上下２箇所に前後方向にオフセットして各々設けられている請求項２〜請求項５の何れか一項に記載の前方状況検出機器の取付構造。
【請求項８】
前記後部ブラケットは、フロントバルクヘッドの左右のサイドステム間に掛け渡されたアッパフレームに固定された上端及び前記アッパフレームの下方において前記左右のサイドステム間に掛け渡されたクロスメンバに固定された下端を有する請求項１〜請求項７の何れか一項に記載の前方状況検出機器の取付構造。
【請求項９】
前記前部ブラケットは、前記前方状況検出機器を取り付けられる樹脂製の機器マウントおよび前記機器マウントから後方に延在する金属板製のブラケット片を含むアウトサート成形品であり、前記ブラケット片は前記機器マウントを前後に貫通して延在する部分及び前記機器マウントの下部に接合する部分を有する請求項１〜請求項８の何れか一項に記載の前方状況検出機器の取付構造。
【発明の詳細な説明】
【技術分野】
【０００１】
本発明は、車両の前方状況検出機器の取付構造に関し、更に詳細には、車体前部に配置される前方状況検出機器の取付構造に関する。
【背景技術】
【０００２】
自動車等の車両におけるミリ波レーダ機器やカメラ等の前方状況検出機器の車体に対する取付構造として、前方状況検出機器がフロントグリル（ラジエータグリル）後方のフロントバルクヘッド（車体骨格部材）に取り付けられ、軽微な衝突時にはフロントグリルと当接することによってフロントグリルを後方下側に変位させるガイド部材が車体骨格部材に取り付けられ、フロントグリルが前方状況検出機器と干渉することを避けるように構成されたもの（例えば、特許文献１）や、前方状況検出機器がフロントグリルに取り付けられたもの（例えば、特許文献２）が知られている。
【０００３】
前方状況検出機器がフロントバルクヘッドに取り付けたものでは、前方状況検出機器の前方に位置するフロントグリルに、前方状況検出機器のレーダ放射や撮像のために電波や光が透過（通過）する透過部分が設けられる。この透過部分は、フロントグリルに設けられるエンブレムが電波や光を透過し易い材料によって構成されることにより、エンブレムによる場合がある。
【先行技術文献】
【特許文献】
【０００４】
【特許文献１】特許第４３３１１５２号公報（ＪＰ４３３１１５２（Ｂ２））
【特許文献２】ＤＥ１０２０１２２１４３２６（Ａ１）
【発明の概要】
【発明が解決しようとする課題】
【０００５】
カメラやミリ波レーダ等の前方状況検出機器がフロントバルクヘッドに取り付けられたものでは、前方状況検出機器はフロントグリルに対して後方に離間しているのに対して、レーダは電波の放射拡がり角を有し、カメラは前方に拡がる画角を有するから、前方状況検出機器がフロントグリルから離間する距離が大きいほど、フロントグリルの透過部分（エンブレム）を大型化する必要が生じ、車両正面の意匠性が損なわれる虞がある。
【０００６】
前方状況検出機器がフロントグリルに取り付けられたものでは、フロントグリルの透過部分（エンブレム）が大型化する虞がないが、軽微な前部衝突時でもフロントグリルの変形等によって車体に対する前方状況検出機器の取付位置や取付角度が変化し、前方状況検出機器が初期状態通りに正常に機能しなくなる虞がある。また、フロントグリルが樹脂製であると、フロントグリルの経年変形によって車体に対する前方状況検出機器の取付位置や取付角度が変化することによっても前方状況検出機器が初期状態通りに正常に機能しなくなる虞がある。
【０００７】
本発明が解決しようとする課題は、フロントグリルに形成される透過部分（エンブレム）が大型化することがなく、長期間に亘って前方状況検出機器が初期状態通りに正常に機能するようにすることである。
【課題を解決するための手段】
【０００８】
本発明による車両の前方状況検出機器の取付構造は、車体前部に設けられたフロントグリル（１２）の背部に配置される車両の前方状況検出機器（３２）の取付構造であって、前記フロントグリル（１２）の後方に位置する車体骨格部材（２０）に取り付けられた後部ブラケット（６０）と、前記後部ブラケット（６０）から前方に延出し、前記前方状況検出機器（３２）を支持する前部ブラケット（４０）とを有し、前記前部ブラケット（４０）が、前記フロントグリル（１２）に結合され、かつ、所定値を超える荷重を受けた時には後方へ変位可能に前記後部ブラケット（６０）に結合されている。
【０００９】
この構成によれば、フロントグリル（１２）に結合された前部ブラケット（４０）によって前方状況検出機器（３２）が支持されるから、前方状況検出機器（３２）をフロントグリル（１２）に近接した位置に配置することができる。これにより、前方状況検出機器（３２）の前方のフロントグリル（１２）に設けられる透過部分（エンブレム）を大型化する必要がなくなる。しかも、前部ブラケット（４０）は後部ブラケット（６０）を介して車体骨格部材（２０）から支持されるので、前方状況検出機器（３２）の取付状態が変化することが効果的に抑制され、前方状況検出機器（３２）が長期間に亘って初期状態通りに正常に機能する。前部ブラケット（４０）が所定値を超える荷重を受けた時には、前部ブラケット（４０）が後部ブラケット（６０）に対して後方へ変位するから、衝突時等にフロントグリル（１２）の変形が抑制されることがない。
【００１０】
本発明による車両の前方状況検出機器の取付構造は、好ましくは、前記前部ブラケット（４０）と前記後部ブラケット（６０）とは、前記前部ブラケット（４０）及び前記後部ブラケット（６０）の何れか一方に設けられた突部（５４）及び他方に設けられて前記突部（５４）が係合する凹部（７８、８０）を含み、前記突部（５４）及び前記凹部（７８、８０）は、前記前部ブラケット（４０）を初期位置に復元可能に前記後部ブラケット（６０）に対して後方への変位を許容する形状をしている。
【００１１】
この構成によれば、前部衝突後にフロントグリル（１２）が弾性によって衝突前の初期位置に復元すると、ピン（５４）と凹部（７８、８０）との係合によって前部ブラケット（４０）が復帰衝突前の初期位置に戻るから、前方状況検出機器（３２）が長期間に亘って初期状態通りに正常に機能する。
【００１２】
本発明による車両の前方状況検出機器の取付構造は、好ましくは、前記突部はピン（５４）であり、前記凹部は前記初期位置において前記ピン（５４）を後方へ離脱可能に係止した係止部（７８）及び前記係止部（７８）の後部に連続し且つ後方に向かうに従って拡開した拡開部（８０）を含む。
【００１３】
この構成によれば、前部衝突後にフロントグリル（１２）が弾性によって衝突前の初期位置に復元すると、ピン（５４）及び拡開部（８０）の作用によって前部ブラケット（４０）が自ずと衝突前の初期位置に戻るから、前方状況検出機器（３２）が長期間に亘って初期状態通りに正常に機能する。
【００１４】
本発明による車両の前方状況検出機器の取付構造は、好ましくは、前記突部はピン（５４）であり、前記凹部は前後方向に延在し、前記ピン（５４）が前後方向に変位可能に係合した長孔（８２）を含む。
【００１５】
この構成によれば、前部衝突後にフロントグリル（１２）が弾性によって衝突前の初期位置に復元すると、ピン（５４）と長孔（８２）との係合関係によって前部ブラケット（４０）が自ずと衝突前の初期位置に戻るから、前方状況検出機器（３２）が長期間に亘って初期状態通りに正常に機能する。
【００１６】
本発明による車両の前方状況検出機器の取付構造は、好ましくは、前記凹部（７８、８０）が樹脂部材（７４）に画成されている。
【００１７】
この構成によれば、ピン（５４）が金属製であっても、金属打音等が生じない。
【００１８】
本発明による車両の前方状況検出機器の取付構造は、好ましくは、前記突部及び前記凹部は、前記前部ブラケット（４０）及び前記後部ブラケット（６０）の少なくとも上下２箇所に各々設けられている。
【００１９】
この構成によれば、前部ブラケット（４０）が後部ブラケット（６０）に対して回動変位することが抑制され、前方状況検出機器（３２）が長期間に亘って初期状態通りに正常に機能する。
【００２０】
本発明による車両の前方状況検出機器の取付構造は、好ましくは、前記突部及び前記凹部は、前記前部ブラケット（４０）及び前記後部ブラケット（６０）の少なくとも上下２箇所に前後方向にオフセットして各々設けられている。
【００２１】
この構成によれば、前部ブラケット（４０）が後部ブラケット（６０）に対して回動変位することがより効果的に抑制され、前方状況検出機器（３２）は長期間に亘って初期状態通りに正常に機能する。
【００２２】
本発明による車両の前方状況検出機器の取付構造は、好ましくは、前記後部ブラケット（６０）は、フロントバルクヘッド（２０）の左右のサイドステム（２２）間に掛け渡されたアッパフレーム（２４）に固定された上端（４４）及び前記アッパフレーム（２４）の下方において前記左右のサイドステム（２２）間に掛け渡されたクロスメンバ（２６）に固定された下端（４６）を有する。
【００２３】
この構成によれば、後部ブラケット（６０）がフロントバルクヘッド（２０）に強固に固定され、後部ブラケット（６０）を介した前部ブラケット（４０）のフロントバルクヘッド（２０）から支持強度が向上する。
されるので
【００２４】
本発明による車両の前方状況検出機器の取付構造は、好ましくは、前記前部ブラケット（４０）は、前記前方状況検出機器（３２）を取り付けられる樹脂製の機器マウント（４２）および前記機器マウント（４２）から後方に延在する金属板製のブラケット片（４８）を含むアウトサート成形品であり、前記ブラケット片（４８）は前記機器マウント（４２）を前後に貫通して延在する部分（４８Ａ）及び前記機器マウント（４２）の下部に接合する部分（４８Ｂ）を有する。
【００２５】
この構成によれば、ブラケット片（４８）による機器マウント（４２）の支持強度が向上し、前方状況検出機器（３２）が長期間に亘って初期状態通りに正常に機能する。
【発明の効果】
【００２６】
本発明による車両の前方状況検出機器の取付構造によれば、フロントグリルに形成される透過部分（エンブレム）が大型化することがなく、長期間に亘って前方状況検出機器が初期状態通りに正常に機能する。
【図面の簡単な説明】
【００２７】
【図１】本発明による車両の前方状況検出機器の取付構造が採用された車体前部の斜視図
【図２】本発明による車両の前方状況検出機器の取付構造の一つの実施形態を、フロントバルクヘッドを取り除いて後方より見た斜視図
【図３】同実施形態を、フロントグリルを取り除いて前方より見た斜視図
【図４】同実施形態の要部を一部断面で示す側面図
【図５】図５のＶ−Ｖに沿った拡大断面図
【図６】同実施形態で用いられる係合板の拡大側面図
【図７】他の実施形態の要部を一部断面で示す側面図
【図８】他の実施形態の要部を一部断面で示す側面図
【図９】他の実施形態の要部を一部断面で示す側面図
【図１０】他の実施形態の要部を一部断面で示す側面図
【発明を実施するための形態】
【００２８】
以下に、本発明による車両の前方状況検出機器の取付構造を自動車に適用した一つの実施形態を、図１〜図６を参照して説明する。
【００２９】
図１に示されているように、フロントグリル（ラジエータグリル）１２は、車体前部の正面に配置されるものであり、フロントバンパフェース１０の上部に結合されている。フロントグリル１２は、樹脂成形品であり、グリル部１４を有すると共に左右方向の中央部に自動車のメーカマーク等を示すようなエンブレム１６を形成されている。エンブレム１６は、後述のレーダ機器３２が車体前方に放射するレーダ波を透過し易い材料によって構成され、レーダ波の透過部をなす。
【００３０】
フロントグリル１２の後方にはフロントバルクヘッド２０が設けられている。フロントバルクヘッド２０は、図３に示されているように、溝形鋼による左右のサイドステム２２と、左右のサイドステム２２の上端を互いに接続すべく両サイドステム２２間に掛け渡された溝形鋼によるアッパフレーム２４と、アッパフレーム２４の下方において左右のサイドステム２２の互いに接続すべく両サイドステム２２間に掛け渡された溝形鋼によるクロスメンバ２６とを含み、剛固な車体骨格部材をなす。クロスメンバ２６は、詳細には、左右のサイドステム２２の各々の上下方向の中間部に取り付けられたＬ形取付金具２８に固定された左右の端部を有して左右のサイドステム２２間を左右方向に延在し、前後方向の剛性向上のために左右方向に延在するリブ部３０を含む。
【００３１】
アッパフレーム２４にはフロントグリル１２の上部の左右両側が締結具１３によって結合されている。
【００３２】
次に、前方状況検出機器の取付構造の一つの実施形態を、図２〜図６を参照して説明する。この実施形態では、前方状況検出機器は、衝突防止システム等に用いられるレーダ波によるレーダ機器３２である。レーダ機器３２の取付構造は、前部ブラケット４０と、後部ブラケット６０とを個別に有する。
【００３３】
前部ブラケット４０は、フロントグリル１２の後方において正面に向けて矩形枠状をなす樹脂製のレーダマウント（グリル側取付ベース本体）４２と、レーダマウント４２の左右一方の側から後方に延出した縦壁をなす金属板製（プレス成形品）のブラケット片４８とを含むアウトサート成形品である。レーダマウント４２にはレーダ機器３２が左右両側部及び上部の３箇所を各々ボルト５０によって固定されている。
【００３４】
ブラケット片４８はレーダマウント４２を前後に貫通して延在する前方延出部分４８Ａ及びレーダマウント４２の下部に接合するリブ部分４８Ｂを有する。この結合構造により、ブラケット片４８によるレーダマウント４２の支持強度が向上し、レーダ角度ずれが抑制され、レーダ機器３２が長期間に亘って初期状態通りに正常に機能する。
【００３５】
ブラケット片４８は前側に形成された上側取付片４４及び下側取付片４６を有する。下側取付片４６は前方延出部分４８Ａの前端に折曲形成されている。フロントグリル１２は背面から後方に向けて突出成形された上側取付台部３４及び下側取付台部３６を有する。上側取付片４４及び下側取付片４６は各々上側取付台部３４及び下側取付台部３６にボルト５２によって固定されている。この固定によって、レーダ機器３２は、図４に示されているように、フロントグリル１２に直付けされたようにして、エンブレム１６の後方に極く接近した位置に正面に向けて配置される。レーダ機器３２は、図３に示されているように、前面中央にレーダ波放射ポート３３を有しており、レーダ波放射ポート３３がエンブレム１６の中央に対応する位置に位置するように、取付位置を設定されている。
【００３６】
レーダ機器３２がエンブレム１６の後方に極く接近した位置に配置されることにより、レーダ機器３２が前方に放射するレーダ波の放射拡がり角に応じてエンブレム１６を大型化する必要がなくなり、車両正面の意匠性が損なわれることがない。また、このことにより、軽衝突時のレーダ機器３２の後方ストロークを容易に確保することができる。
【００３７】
ブラケット片４８の後端近傍の上下２箇所には、各々突部として、ブラケット片４８から正面視で右側に突出したピン５４が固定されている。ピン５４は、金属製のものであり、図５に示されているように、取付基部側の小径軸部５４Ａ及び先端側の大径フランジ部５４Ｂを有する。上下２箇所のピン５４は前後方向に互いにオフセットして設けられている。
【００３８】
後部ブラケット６０は、金属板によるプレス成形品であり、アッパフレーム２４の上部にボルト６２によって固定された上端片６４と、クロスメンバ２６の前部に取り付けられたＬ形取付金具６６にボルト６２によって固定された下端片７０と、上端片６４と下端片７０との間にあって正面視でブラケット片４８の右側に沿って延在する縦壁をなす主板部７２とを有し、フロントバルクヘッド２０の前側に固定されている。
【００３９】
後部ブラケット６０は、上端片６４及び下端片７０、つまり上下両端をフロントバルクヘッド２０に固定されているから、フロントバルクヘッド２０に対する後部ブラケット６０の取付強度が高いものになる。これにより、軽微な前部衝突では後部ブラケット６０の取付位置が変動することがない。
【００４０】
主板部７２の正面視で右側面には、上下２箇所に各々樹脂製の係合部材（凹部部材）７４が複数の締結具７６によって固定されている。各係合部材７４は、図６に示されているように、ピン５４の小径軸部５４Ａが嵌合可能な後方開口のＣ形切欠部（係止部）７８及びＣ形切欠部７８から後方に向かうに従って上下幅が大きくなって係合部材７４の後縁に至る後方開口の拡開切欠部（拡開部）８０を有する。拡開切欠部８０の上面８０Ａ及び下面８０Ｂは、後側から前側に向かうに従って互いに近づく方向に傾斜して各々Ｃ形切欠部７８の内周面７８Ａに至る案内部をなす。小径軸部５４ＡとＣ形切欠部７８とは前部ブラケット４０が所定値を超える荷重を受けない時には嵌合状態を維持し、前部ブラケット４０が所定値を超える荷重を受ける時には、小径軸部５４ＡがＣ形切欠部７８との嵌合から離脱し、前部ブラケット４０が後部ブラケット６０に対して後方へ変位可能になる。上下２箇所の係合部材７４は、上下のピン５４の前後方向のオフセットと同様に、前後方向に互いにオフセットして設けられている。
【００４１】
このようにして前部ブラケット４０は、後部ブラケット６０から前方に延出してフロントグリル１２に結合され、かつ、所定値を超える荷重を受けた時には後方へ変位可能に後部ブラケット６０に結合されている。
【００４２】
フロントグリル１２が衝突等による変形を生じていない初期状態では、換言すると、前部ブラケット４０が所定値を超える荷重を受けない時には図４に示されているように、上下２箇所において、各Ｃ形切欠部７８にピン５４の小径軸部５４Ａが嵌合することにより、前部ブラケット４０の上下方向及び前後方向の移動及び回転が拘束され、且つ図５に示されているように、大径フランジ部５４Ｂとブラケット片４８とが主板部７２及び係合部材７４を左右に挟むことにより、前部ブラケット４０の左右方向の移動が拘束され、このような拘束状態で、前部ブラケット４０の後部が後部ブラケット６０によってフロントバルクヘッド２０から支持される。
【００４３】
上述の拘束により、フロントグリル１２やフロントグリル１２を取り付けられたフロントバンパフェース１０が樹脂製であることにより、外気温度によって高温や低温に曝されてフロントグリル１２が熱変形したり、経年変形したりしても、前部ブラケット４０が所定値を超える荷重を受けない状態下では、前部ブラケット４０が後部ブラケット６０に対して前後方向や左右方向に変位することが回避あるいは抑制される。これにより、エンブレム１６を含むフロントグリル１２が熱変形したり、経年変形したりしても、レーダ機器３２の取付位置および取付姿勢が変動することが回避あるいは抑制され、レーダ機器３２のレーダ波放射角が初期の放射角からずれるレーダ角度ずれを生じることが回避あるいは抑制され、レーダ機器３２が長期間に亘って初期状態通りに正常に機能する。
【００４４】
また、エンブレム１６を含むフロントグリル１２は、前部ブラケット４０及び後部ブラケット６０によってフロントバルクヘッド２０から支持されていることにもなり、フロントグリル１２の熱変形や経年変形が抑制される効果も期待できる。
【００４５】
また、上下２箇所において各ピン５４の小径軸部５４Ａが各Ｃ形切欠部７８に嵌合していることにより、前部ブラケット４０が、図４の紙面を貫通する軸線周りに回動することが抑制されるので、フロントグリル１２やフロントバンパフェース１０の自重による垂れ下がりが抑制され、このことによってもレーダ機器３２のレーダ波放射角が初期の放射角からずれるレーダ角度ずれを生じることが回避あるいは抑制される。更には、互いに係合する上下２箇所のピン５４及び係合部材７４が前後方向にオフセットして設けられていることにより、前部ブラケット４０が回動することを抑制することが効果的に行われ、前部ブラケット４０がより一層回動し難くなる。これらのことによってもレーダ機器３２は長期間に亘って初期状態通りに正常に機能する。
【００４６】
軽微な前部衝突によってフロントグリル１２が弾性変形を生じること等によって、前部ブラケット４０が所定値を超える荷重を受けた時には、ピン５４の小径軸部５４ＡがＣ形切欠部７８との嵌合から離脱して拡開切欠部８０へ抜け出し、前部ブラケット４０がフロントグリル１２と共に後部ブラケット６０に対して後方に変位する。
【００４７】
小径軸部５４Ａは、Ｃ形切欠部７８との嵌合から離脱して係合部材７４に対して後方へ移動すると、拡開切欠部８０において、図６に矢印線によって示されているように、係合部材７４に対して上下方向にも変位可能になり、前部衝突によるフロントグリル１２の後方への移動及び上下方向の移動が許容される。これにより、フロントグリル１２やレーダ機器３２が損傷することが回避され、軽微な前部衝突が歩行者による場合には、歩行者の保護が図られる。
【００４８】
前部衝突後にフロントグリル１２が弾性によって衝突前の初期位置に復元すると、これに伴って前部ブラケット４０も前方に移動する。衝突によって前部ブラケット４０が初期位置から上下方向に変位しても、前部ブラケット４０が前方に移動する際に、ピン５４の小径軸部５４Ａが拡開切欠部８０の上面８０Ａ或いは下面８０Ｂに案内されてＣ形切欠部７８に向かい、小径軸部５４ＡがＣ形切欠部７８に嵌合する元の状態に戻る。このようにして、前部ブラケット４０は衝突前の初期位置に復元可能に後方への変位を許容して後部ブラケット６０に連結されている。
【００４９】
これにより、軽微な前部衝突によってフロントグリル１２が弾性変形しても、衝突後にフロントグリル１２が元の状態に復元すれば、前部ブラケット４０は自ずと衝突前の初期位置に戻るから、衝突によってレーダ機器３２のレーダ波放射角が初期の放射角からずれるレーダ角度ずれを生じることがない。
【００５０】
復元動作時にピン５４の小径軸部５４Ａが拡開切欠部８０の上面８０Ａ或いは下面８０Ｂに当接や摺接しても、係合部材７４は樹脂製であるから、金属打音や金属摺接音が生じることがない。
【００５１】
次に、前方状況検出機器の取付構造の他の実施形態を、図７を参照して説明する。なお、図７において、図１に対応する部分は、図１に付した符号と同一の符号を付けて、その説明を省略する。
【００５２】
この実施形態では、樹脂製の係合部材７４はアウトサート成形によって後部ブラケット６０の主板部７２に一体に設けられている。係合部材７４には、ピン５４の小径軸部５４Ａが係合する凹部として、前側開口８２及び後側開口８４が形成されている。
【００５３】
前側開口８２は略水平な水平部（係止部）８２Ａ及び水平部８２Ａの後側に連続して上方に傾斜し且つ後方に向かう上下幅が大きくなる傾斜部（拡開部）８２Ｂを含む。後側開口８４は略水平に延在して係合部材７４の後縁に至る後方開口の切欠きとして形成されている。
【００５４】
この実施形態でも、各小径軸部５４Ａと前側開口８２及び後側開口８４との係合により、エンブレム１６を含むフロントグリル１２が熱変形したり、経年変形したりしても、前部ブラケット４０が所定値を超える荷重を受けない状態下では、前部ブラケット４０が後部ブラケット６０に対して前後方向や左右方向に変位することが回避あるいは抑制される。これにより、フロントグリル１２が熱変形したり、経年変形したりしても、レーダ機器３２の取付位置および取付姿勢が変動することが回避あるいは抑制され、レーダ機器３２のレーダ波放射角が初期の放射角からずれるレーダ角度ずれを生じることが回避あるいは抑制され、レーダ機器３２が長期間に亘って初期状態通りに正常に機能する。
【００５５】
また、前後２箇所において各小径軸部５４Ａが前側開口８２及び後側開口８４に嵌合していることにより、前部ブラケット４０が、図７の紙面を貫通する軸線周りに回動することが抑制されるので、フロントグリル１２やフロントバンパフェース１０の自重による垂れ下がりが抑制され、このことによってもレーダ機器３２のレーダ波放射角が初期の放射角からずれるレーダ角度ずれを生じることが回避あるいは抑制される。
【００５６】
軽微な前部衝突によってフロントグリル１２が弾性変形を生じること等によって、前部ブラケット４０が所定値を超える荷重を受けた時には、各小径軸部５４Ａが前側開口８２及び後側開口８４の後方へ移動し、前部ブラケット４０がフロントグリル１２と共に後部ブラケット６０に対して後方に変位する。
【００５７】
前側の小径軸部５４Ａが前側開口８２の水平部８２Ａから傾斜部８２Ｂに移動し、後側の小径軸部５４Ａが後側開口８４の後方に抜け出すことにより、各小径軸部５４Ａは、図７に矢印線によって示されているように、係合部材７４に対して上下方向にも変位可能になり、前部衝突によるフロントグリル１２の後方への移動及び上下方向の移動が許容される。更に、後側の小径軸部５４Ａが後側開口８４の後方に抜け出すことにより、フロントグリル１２が図７の紙面を貫通する軸線周りに回動することも許容される。これにより、フロントグリル１２やレーダ機器３２が損傷することが回避され、軽微な前部衝突が歩行者による場合には、歩行者の保護が図られる。
【００５８】
前部衝突後にフロントグリル１２が弾性によって衝突前の初期位置に復元すると、これに伴って前部ブラケット４０も前方に移動する。衝突によって前部ブラケット４０が初期位置から上下方向に変位しても、前側の小径軸部５４Ａは前側開口８２内あることにより、傾斜部８２Ｂを画定する端面に案内されて水平部８２Ａに戻る。
【００５９】
これにより、軽微な前部衝突によってフロントグリル１２が弾性変形しても、衝突後にフロントグリル１２が元の状態に復元すれば、前部ブラケット４０は自ずと衝突前の初期位置に戻り、衝突後にレーダ機器３２のレーダ波放射角が初期の放射角からずれるレーダ角度ずれを生じることがない。
【００６０】
以上、本発明を、その好適な実施形態について説明したが、当業者であれば容易に理解できるように、本発明はこのような実施形態により限定されるものではなく、本発明の趣旨を逸脱しない範囲で適宜変更可能である。
【００６１】
例えば、ピン５４の小径軸部５４Ａが係合する凹部の形状は、図８に示されているように、前後に設けられている２個の開口８６、８８の双方が、図７に示されている前側開口８２と同形であっても、図９に示されているように、前後に設けられている２個の開口９０、９２の双方が水平部（係止部）９０Ａ、９２Ａ及び三角形部（拡開部）９０Ｂ、９２Ｂを含む形状であってもよい。また、図１０に示されているように、上下に設けられている２個の開口９４、９６の双方が前後方向に長い水平な長孔であってもよい。ピン５４の係合部の個数は２個に限られることなく、１個或いは３個以上の複数であってもよい。
【００６２】
前方状況検出機器は、レーダ機器３２に限られることなく、車体前方を撮影するカメラ等であってもよい。ピン５４が後部ブラケット６０に設けられ、係合部材７４が前部ブラケット４０に設けられてもよい。また、レーダマウント４２を金属製にして、レーダマウント４２とブラケット片４８とが一体のプレス成形品あるいは軽金属による鋳造品であっいてもよい。
【００６３】
また、上記実施形態に示した構成要素は必ずしも全てが必須なものではなく、本発明の趣旨を逸脱しない限りにおいて適宜取捨選択することが可能である。
【符号の説明】
【００６４】
１０    ：フロントバンパフェース
１２    ：フロントグリル
１３    ：締結具
１４    ：グリル部
１６    ：エンブレム
２０    ：フロントバルクヘッド
２２    ：サイドステム
２４    ：アッパフレーム
２６    ：クロスメンバ
２８    ：Ｌ形取付金具
３０    ：リブ部
３２    ：レーダ機器（前方状況検出機器）
３３    ：レーダ波放射ポート
３４    ：上側取付台部
３６    ：下側取付台部
４０    ：前部ブラケット
４２    ：レーダマウント
４４    ：上側取付片
４６    ：下側取付片
４８    ：ブラケット片
４８Ａ  ：前方延出部分
４８Ｂ  ：リブ部分
５０    ：ボルト
５２    ：ボルト
５４    ：ピン
５４Ａ  ：小径軸部
５４Ｂ  ：大径フランジ部
６０    ：後部ブラケット
６２    ：ボルト
６４    ：上端片
６６    ：Ｌ形取付金具
７０    ：下端片
７２    ：主板部
７４    ：係合部材
７６    ：締結具
７８    ：Ｃ形切欠部（係止部）
７８Ａ  ：内周面
８０    ：拡開切欠部（拡開部）
８０Ａ  ：上面
８０Ｂ  ：下面
８２    ：前側開口
８２Ａ  ：水平部
８２Ｂ  ：傾斜部
８４    ：後側開口
８６    ：開口
８８    ：開口
９０    ：開口
９０Ａ  ：水平部
９０Ｂ  ：三角形部
９２    ：開口
９２Ａ  ：水平部
９２Ｂ  ：三角形部
９４    ：開口
９６    ：開口
【図１】
2018131152.tif 000003
【図２】
2018131152.tif 000004
【図３】
2018131152.tif 000005
【図４】
2018131152.tif 000006
【図５】
2018131152.tif 000007
【図６】
2018131152.tif 000008
【図７】
2018131152.tif 000009
【図８】
2018131152.tif 000010
【図９】
2018131152.tif 000011
【図１０】
2018131152.tif 000012